(57)【要約】【課題】美観を損ねることなく、外部から内部に或いは内部から外部に雨水等が流入又は流出することがないとともに、より低コストにて製造することができ、さらには長期間使用することができる新規なマンホール用鉄蓋を提供する。【解決手段】鉄蓋本体２の上面に形成された複数の凹部３・・・１１（３ｂ）と、これらの凹部３・・・１１（３ｂ）の開口を閉塞するとともに金属板により略コ字状に折曲されてなり上面には数字，文字又は記号１３ｄが表示されてなる表示部材１３・・・２１とを備えてなるマンホール用鉄蓋１であって、上記凹部３ｂを形成する内壁面には、一方の係合部３ｈ，３ｈが形成され、上記表示部材１３・・２１は、天板部１３ａと、この天板部１３ａの左端から折曲されてなる左側板部１３ｂと、上記天板部１３ａの右端から折曲されてなる右側板部１３ｃと、上記左側板部１３ｂ及び右側板部１３ｃの双方に形成されてなり上記一方の係合部３ｈ、３ｈに係合する他方の係合部１３ｅ，１３ｆと、を備えてなる。【選択図】        図５
2007255033.tif 000002
【特許請求の範囲】
【請求項１】
鉄蓋本体の上面に形成された複数の凹部と、これらの凹部の開口を閉塞するとともに金属板により略コ字状に折曲されてなり上面には数字，文字又は記号が表示されてなる表示部材とを備えてなるマンホール用鉄蓋であって、
上記凹部を形成する内壁面には、一方の係合部が形成され、上記表示部材は、天板部と、この天板部の左端から折曲されてなる左側板部と、上記天板部の右端から折曲されてなる右側板部と、上記左側板部及び右側板部の双方に形成されてなり上記一方の係合部に係合する他方の係合部と、を備えてなることを特徴とするマンホール用鉄蓋。
【請求項２】
前記鉄蓋本体に形成された各凹部は、第１の凹部と、この第１の凹部の底面から下方に形成された第２の凹部とを有し、前記表示部材は、この第２の凹部の開口を閉塞してなるとともに天板部はほぼ上記第１の凹部の底面と面一とされてなることを特徴とする請求項１記載のマンホール用鉄蓋。
【請求項３】
前記表示部材は、該表示部材を構成する左側板部と右側板部とのそれぞれに形成された他方の係合部は、下端が該左側板部又は右側板部に連続し上端方向が徐々に該左側板部又は右側板部から離間するよう傾斜してなり、該他方の係合部の上端と前記一方の係合部とが互いに係合してなることを特徴とする請求項１又は２記載のマンホール用鉄蓋。
【請求項４】
前記凹部内は、仕切り部により左右に仕切られているとともに、該仕切り部の上面は上記蓋本体の上面又は請求項２記載の第１の凹部の底面よりやや下方に位置してなることを特徴とする請求項１，２又は３記載のマンホール用鉄蓋。
【発明の詳細な説明】
【技術分野】
【０００１】
本発明は、マンホールに形成された開口を閉塞するマンホール用鉄蓋に関し、特に、監理番号等により当該マンホールを管理するために使用されるマンホール用鉄蓋に関するものである。
【背景技術】
【０００２】
マンホール及びこのマンホールを閉塞するマンホール用鉄蓋は、各自治体により多数設置されているが、個々のマンホールを集中管理するためは、上記マンホール用鉄蓋に数字，記号等を表示する必要性がある。そこで、従来では、こうした目的を達成するために、地下構造物用蓋なる名称にて以下に説明する技術が提案されている（特許文献１）。この技術は、マンホール用鉄蓋の鉄蓋本体の外周側に複数の貫通穴を形成し、この貫通穴のそれぞれに樹脂製の保持具を嵌合させるとともに、該保持具の上面に樹脂製の表示ピースを取り付けたものである。この表示ピースの上面には、数字に対応した凸部が形成されている。したがって、この技術では、上記表示ピースを任意に組み合わせることにより、特定の数字を表示し、集中管理することができる。
【特許文献１】特許第２８７３２１１号公報
【発明の開示】
【発明が解決しようとする課題】
【０００３】
しかしながら、上記従来の技術では、表示具を取り付ける必要のない部位では、貫通穴が露出することとなり、美観も損ねるばかりではなく、該貫通穴を通って雨水がマンホール内に流入する危険性があり、また豪雨等によりマンホールの内圧が上昇した場合には、内部の雨水又は排水が外部に噴出する可能性もある。また、上記技術では、保持具と表示ピースとから構成されていることから、それぞれ別個に金型等により成形する必要があり低コスト化を図るための障害となっている。また、上記表示具及び表示ピースは何れも樹脂を素材としていることから、対候性に欠けることから長期間使用することができない。
【０００４】
そこで、本発明は、上述した従来のマンホール用鉄蓋ないし地下構造物用蓋が有する課題を解決するために提案されたものであって、美観を損ねることなく、外部から内部に或いは内部から外部に雨水等が流入又は流出することがないとともに、より低コストにて製造することができ、さらには長期間使用することができる新規なマンホール用鉄蓋を提供することを目的とするものである。
【課題を解決するための手段】
【０００５】
上述した目的を達成するため、第１の発明（請求項１記載の発明）は、鉄蓋本体の上面に形成された複数の凹部と、これらの凹部の開口を閉塞するとともに金属板により略コ字状に折曲されてなり上面には数字，文字又は記号が表示されてなる表示部材とを備えてなるマンホール用鉄蓋であって、上記凹部を形成する内壁面には、一方の係合部が形成され、上記表示部材は、天板部と、この天板部の左端から折曲されてなる左側板部と、上記天板部の右端から折曲されてなる右側板部と、上記左側板部及び右側板部の双方に形成されてなり上記一方の係合部に係合する他方の係合部と、を備えてなることを特徴とするものである。
【０００６】
上記第１の発明では、鉄蓋本体に凹部が形成されていることを要し、この凹部は言うまでもなく有底であり貫通穴ではない。また、この凹部の数は特に限定されるものではなく、例えばマンホールを集中管理する上で必要な数とすれば良い。また、上記表示部材は、金属を素材とすれば良く、鉄，アルミニウム，銅等を使用することができるが錆に強いステンレススチールを使用することもできる。また、この表示部材に形成された他方の係合部は、上記凹部に形成された一方の係合部に係合するものであれば、すなわち、一方の係合部と他方の係合部とは、互いに係合するものであれば、その形状や構造は特に限定されるものではない。
【０００７】
また、第２の発明（請求項２記載の発明）は、上記第１の発明において、前記鉄蓋本体に形成された各凹部は、第１の凹部と、この第１の凹部の底面から下方に形成された第２の凹部とを有し、前記表示部材は、この第２の凹部を閉塞してなるとともに天板部はほぼ上記第１の凹部の底面と面一とされてなることを特徴とするものである。
【０００８】
この第２の発明を構成する第１の凹部の形状は、円形状，楕円形状，方形状その他任意の形状とすることができ、上記第２の凹部は、この第１の凹部の底面に形成されている必要がある。したがって、第１の発明を構成する一方の係合部は、この第２の発明では、上記第２の凹部の内壁面に形成されている。そして、この第２の発明を構成する表示部材は、上記第２の凹部を閉塞するものであり、該表示部材を構成する天板部は、ほぼ上記第１の凹部の底面と面一とされている必要がある。
【０００９】
また、第３の発明（請求項３記載の発明）は、上記第１の発明又は第２の発明において、前記表示部材は、該表示部材を構成する左側板部と右側板部とのそれぞれに形成された他方の係合部は、下端が該左側板部又は右側板部に連続し上端方向が徐々に該左側板部又は右側板部から離間するよう傾斜してなり、該他方の係合部の上端と前記一方の係合部とが互いに係合してなることを特徴とするものである。
【００１０】
この第３の発明では、上記表示部材を凹部（第２の発明では、第２の凹部）の上方から下方に押圧すると、上記各他方の係合部（及び左側板部と右側板部）は、鉄蓋本体の凹部に形成された一方の係合部に摺接しながら内側に弾性変位し、さらに下方に押圧すると、それまで一方の凹部に摺接していた各他方の係合部（及び部と右左側板部と右側板部）は外側に広がる。したがって、この状態では、上記表示部材を上方に引き抜く力が生じた場合であっても、上記他方の係合の先端が一方の係合部に係合していることから、取り外しが不能となる。
【００１１】
また、第４の発明（請求項４記載の発明）は、上記第１，第２又は第３の発明において、前記凹部内は、仕切り部により左右に仕切られているとともに、該仕切り部の上面は上記蓋本体の上面又は請求項２記載の第１の凹部の底面よりやや下方に位置してなることを特徴とするものである。
【００１２】
なお、上記仕切り部の上面と、蓋本体の上面又は第１の凹部の底面との距離は、上記表示部材の肉厚又は該肉厚よりもやや長い程度の距離とすることが望ましい。
【発明の効果】
【００１３】
上記第１の発明（請求項１記載の発明）では、複数の表示部材が取り付けられる部位は、それぞれ蓋本体に形成された凹部であり貫通穴ではないことから、この貫通穴を通って雨水がマンホール内に流入する危険性はなく、また、マンホールの内圧が高まった場合であっても内部の雨水等が貫通穴を通って外部に噴出する危険性もない。また、蓋本体に取り付けられる部材は、単体の表示部材であるとともに、金属板により略コ字状に折曲されてなるものであることから、製造コストも大幅に抑制することができる。さらに、この発明を構成する表示部材は、金属板により略コ字状に折曲されてなるものであり対候性を有することから、長期間に亘って安定して使用することができる。
【００１４】
また、第２の発明（請求項２記載の発明）では、鉄蓋本体に形成された各凹部は、第１の凹部と、この第１の凹部の底面から下方に形成された第２の凹部とを有し、前記表示部材は、この第２の凹部を閉塞してなるとともに天板部はほぼ上記第１の凹部の底面と面一とされてなることから、長期間使用されることにより、鉄蓋本体の上面が磨耗した場合であっても、上記表示部材の上面が磨耗する危険性は極めて低い。したがって、長期間に亘って明確に数字や記号等を識別することができる。
【００１５】
また、第３の発明（請求項３記載の発明）では、表示部材は、該表示部材を構成する左側板部と右側板部とのそれぞれに形成された他方の係合部は、下端が該左側板部又は右側板部に連続し上端方向が徐々に該左側板部又は右側板部から離間するよう傾斜してなり、該他方の係合部の上端と前記一方の係合部とが互いに係合してなることから、製造も容易となり、該表示部材にバネ性を付与するものであることから、不用意に該表示部材が取り外され又は蓋本体から脱落する危険性もない。
【００１６】
また、第４の発明（請求項４記載の発明）では、凹部内は、仕切り部により左右に仕切られているとともに、該仕切り部の上面は上記蓋本体の上面又は請求項２記載の第１の凹部の底面よりやや下方に位置してなることから、表示部材を構成する天板部に、小石や砂利等が乗り、この上から自動車等により押圧された場合であっても、上記仕切り板の上面により天板部が支持されることから、天板部が変形する等により数字や記号などが識別不能となったり鉄蓋本体から表示部材が脱落したりする等の事態を有効に防止することができる。
【発明を実施するための最良の形態】
【００１７】
以下、本発明を実施するための最良の形態を、図面を参照しながら詳細に説明する。このマンホール用鉄蓋１は、図１に示すように、蓋本体２の外周側に第１ないし第９の凹部３・・・１１が形成され、各凹部３・・・１１には、第１ないし第９の表示部材１３・・・２１が装着されている。これら第１ないし第９の凹部３・・・１１は、全体として円弧状に並んでなるものであり、この実施の形態では、上記第３の凹部５と第４の凹部６との間は、やや離間している。
【００１８】
そして、上記第１ないし第９の凹部３・・・１１は、図２に示す第１の凹部３又は図４に示す第２の凹部４のように、（それぞれ）方形状に成形された大型凹部３ａ，４ａと、（これらの）大型凹部３ａ，４ａから下方に形成された小型凹部３ｂ，４ｂとから構成されている。なお、上記（各）大型凹部３ａ，４ａは、本発明を構成する第１の凹部であり、上記（各）小型凹部３ｂ，４ｂは、本発明を構成する第２の凹部である。そして、上記（各）小型凹部３ｂは、図２に示すように、上記（各）大型凹部３ａの底面３ｃから下方に形成されてなるものであるとともに、小型凹部３ｂの内部は、仕切り部３ｄにより左右に仕切られている。こ（れら）の仕切り部３ｄは、上記小型凹部３ｂの底面３ｅから上方に起立してなるものであり、該仕切り部３ｄの上面３ｆは、上記大型凹部３ａの底面３ｃよりもやや（後述する表示部材を構成する天板部の肉厚にほぼ等しい距離）下方に位置している。
【００１９】
そして、上記（各）小型凹部３ｂの各内壁面３ｇには、本発明を構成する一方の係合部（段差部）３ｈ，３ｈが形成されている。この実施の形態に係るマンホール用鉄蓋１では、図２に示すように、小型凹部３ｂの内部では、下方が該小型凹部３ｂの上部よりも蓋本体２の外周側及び中心側に広がっており、中途部には段差部３ｈ，３ｈが一方の係合部としてそれぞれ形成されている。
【００２０】
そして、上記（各）小型凹部３ｂには、それぞれ図１に示すように、上記表示部材１３・・・２１が取り付けられている。これらの表示部材１３・・・２１は、長方形状に成形されたステンレススチール板を折曲してなるものであり、図３に示す（第１の表示部材の）ように、長方形状に成形された天板部１３ａと、この天板部１３ａの左端から下方に垂直に折曲されてなる左側板部１３ｂと、上記天板部１３ａの右端から下方に垂直に折曲されてなり上記左側板部１３ｂに対向してなる右側板部３１ｃとを備えている。そして、上記天板部３１ａの上面には、エッチングにより数字１３ｄが表示されている。また、上記左側板部１３ｂには、左傾斜板部１３ｅが形成され、上記右側板部３１ｃには、右傾斜板部１３ｆが形成されている。上記左傾斜板部１３ｅと右傾斜板部１３ｆは、何れも下端が該左傾斜板部１３ｄ又は右傾斜板部１３ｅに連続してなるものであり、上端側に向かって徐々に該左側板部１３ｂ又は右側板部１３ｃから離間するよう傾斜してなるものである。すなわち、これら左傾斜板部１３ｅと右傾斜板部１３ｆは、図示しないレーザー加工機又はプレス装置等により、上記天板部１３ａの両端と平行な水平スリット（符号は省略する。）と、これらの水平スリットの両端から下方に形成した二つの垂直スリット（符号は省略する。）を形成し、該水平スリットと垂直スリットとにより囲まれた部位を外側に折曲して形成したものである。
【００２１】
したがって、上述した表示部材１３を、図２に示すように、蓋本体２の上方から手指により、上記小型凹部３ｂ内に押し入れると、先ず、該小型凹部３ｂの上方の内壁面に、上記左傾斜板部１３ｅと右傾斜板部１３ｆの下端側が摺接し、さらに下方に押し入れると、該左傾斜板部１３ｅと右傾斜板部１３ｆはそれぞれ上端が左側板部１３ｂ又は右側板部１３ｃに接近するよう弾性変位し、該左傾斜板部１３ｅと右傾斜板部１３ｆの上端が上記段差部２ｈ，２ｈの下端を通過すると、図５に示すように、再び元の状態に復帰するとともに、該表示部材１３の天板部１３ａの下面は、上記仕切り部３ｄの上面に当接し、これによって該表示部材１３の装着が終了する。
【００２２】
したがって、上述した構成に係るマンホール用鉄蓋１によれば、上記９個の表示部材１３・・・２１が取り付けられる部位は、それぞれ蓋本体２に形成された各凹部３・・・１１であり、従来のように貫通穴ではないことから、この貫通穴を通って雨水がマンホール内に流入する危険性はなく、また、図示しないマンホールの内圧が高まった場合であっても内部の雨水等が貫通穴を通って外部に噴出する危険性もない。また、蓋本体２に取り付けられる表示部材１３・・・２１は、単体の表示部材であるとともに、ステンレススチールにより略コ字状に折曲されてなるものであることから、製造コストも大幅に抑制することができる。さらに、このマンホール用鉄蓋２を構成する表示部材１３・・・２１は、対候性を有することから、長期間に亘って安定して使用することができる。しかも、この実施の形態に係るマンホール用鉄蓋１では、鉄蓋本体２に形成された各凹部３・・・１１は、それぞれ方形状に成形された大型凹部３ａと、これら大型凹部３ａから下方に形成された小型凹部３ｂとから構成されており、上記表示部材１３・・・２１は、これら小型凹部３ｂに装着され、天板部１３ａはほぼ大型凹部３ａの底面３ｃと面一とされてなることから、長期間使用されることにより、鉄蓋本体２の上面が磨耗した場合であっても、数字が表示された上記表示部材１３・・・２１の上面が磨耗する危険性は極めて低い。したがって、長期間に亘って明確に数字や記号等を識別することができる。
【００２３】
さらに、このマンホール用鉄蓋１では、上記表示部材１３・・・２１は、該表示部材１３・・・２１を構成する左側板部１３ｂと右側板部１３ｃとのそれぞれに形成された他方の係合部である左傾斜板部１３ｅと右傾斜板部１３ｆは、下端が該左側板部１３ｂ又は右側板部１３ｃに連続し上端方向が徐々に該左側板部１３ｂ又は右側板部１３ｃから離間するよう傾斜してなり、上端と前記一方の係合部である段差部３ｈ、３ｈ（の下面）とが互いに係合してなることから、製造も用意となり、該表示部材１３・・・２１にバネ性を付与するものであることから、不用意に該表示部材１３・・・２１が取り外され又は鉄蓋本体２から脱落する危険性もない。またさらに、この実施の形態に係るマンホール用鉄蓋１では、上記小型凹部３ｂ内は、仕切り部３ｄにより左右に仕切られているとともに、該仕切り部３ｄの上面３ｆは上記大型凹部３ａの底面３ｃよりやや下方に位置してなることから、表示部材１３・・・２１を構成する天板部１３ａ上に、図示しない小石や砂利等が乗り、この上から自動車等により押圧された場合であっても、上記仕切り板３ｄの上面により天板部１３ａが支持されることから、変形する等により数字や記号などが識別不能となったり、該表示部材１３・・・２１が凹部３（小型凹部３ｂ）・・・１２から脱落したりする事態を有効に防止することができる。
【００２４】
なお、上記実施の形態において参照した図１等には、第１ないし第９の表示部材１３・・・２１の天板部１３ａ・・・２１ａに数字の「０」を簡易的に表示したが、実際の表示部材１３・・・２１は、これらの天板部１３ａ・・・２１ａに「１」から「９」の何れかが表示されるものを使用する。すなわち、各マンホール用鉄蓋１を集中管理する場合には、上記「１」から「９」の何れかが表示された多数の表示部材（符号は省略する。）を用意し、適宜特定の数字を組み合わせて上記各凹部（小型凹部）に装着する。また、上記実施の形態では、数字が表示された表示部材（符号は省略する。）を用いたが、上記表示部材の天板部に表示されるものは、数字ばかりではなく、文字，記号など或いはこれらを組み合わせたものであっても良い。
【図面の簡単な説明】
【００２５】
【図１】実施の形態に係るマンホール用鉄蓋に表示部材が装着された状態を示す平面図である。
【図２】鉄蓋本体と第１の表示部材とを分解した状態の断面を示す分解斜視図である。
【図３】第１の表示部材を示す斜視図である。
【図４】鉄蓋本体と第２の表示部材とを分解した状態を示す分解斜視図である。
【図５】第１の凹部に第１の表示部材を装着した状態の断面を示す斜視図である。
【符号の説明】
【００２６】
１    マンホール用鉄蓋
２    鉄蓋本体
３・・・１１    第１ないし第９の凹部
３ａ    大型凹部
３ｂ    小型凹部
３ｃ    大型凹部の底面
３ｄ    仕切り部
３ｅ    小型凹部の底面
３ｆ    仕切り部の上面
３ｈ    段差部
１３・・・２１    第１ないし第９の表示部材
１３ａ    天板部
１３ｂ    左側板部
１３ｃ    右側板部
１３ｄ    数字
１３ｅ    左傾斜板部
１３ｆ    右傾斜板部
【図１】
2007255033.tif 000003
【図２】
2007255033.tif 000004
【図３】
2007255033.tif 000005
【図４】
2007255033.tif 000006
【図５】
2007255033.tif 000007